【手続補正書】
【提出日】平成16年12月2日(2004.12.2)
【手続補正１】
【補正対象書類名】明細書
【補正対象項目名】発明の名称
【補正方法】変更
【補正の内容】
【発明の名称】磁気共鳴装置
【手続補正２】
【補正対象書類名】明細書
【補正対象項目名】特許請求の範囲
【補正方法】変更
【補正の内容】
【特許請求の範囲】
【請求項１】
測定対象に対して静磁場を発生する手段と、前記測定対象に照射する高周波磁場を発生する手段と、前記測定対象から生じる磁気共鳴信号を検出する手段と、前記測定対象に印加する傾斜磁場を発生させる手段と、各磁場の発生タイミングおよび強度の制御と検出された前記磁気共鳴信号の演算を行う制御手段と、エコータイムを含む前記磁気共鳴信号の検出のための計測パラメータを入力する入力手段と、演算結果を表示するためのディスプレイとを有し、対象分子種のスピン結合定数をＪとするとき、前記エコータイムが任意の自然数ｎに対してｎ／Ｊと等しくなく、かつ前記磁気共鳴信号のデータ取得時間中に少なくとも一つのｎ／Ｊが含まれるように前記計測パラメータが前記入力手段により設定され、前記制御手段は、（１）前記計測パラメータを用いてスペクトロスコピーまたはスペクトロスコピックイメージングの計測およびデータ再構成を行うこと、（２）前記（１）の計測結果および再構成されたデータから前記対象分子種のスペクトルを含む領域のデータを、フーリエ逆変換により時間領域のデータに逆変換すること、（３）前記時間領域のデータに逆変換されたデータの時刻ｎ／Ｊでの値を求め、前記対象分子種の信号強度を計算すること、を行うことを特徴とする磁気共鳴装置。
【請求項２】
請求項１記載の磁気共鳴装置において、前記制御手段は、（ａ）前記（１）の計測結果および再構成されたデータを基に、前記対象分子種以外のスペクトルから静磁場不均一による信号減衰時間を計算すること、（ｂ）計算された前記信号減衰時間から前記対象分子種の時刻ｎ／Ｊでの信号減衰率を計算すること、（ｃ）前記（３）に代えて、前記（ｂ）で求められた前記信号減衰率の逆数を、前記（２）で求められた前記時間領域のデータに逆変換されたデータの時刻ｎ／Ｊにおける値に乗算して前記対象分子種の信号強度を計算すること、を行うことを特徴とする磁気共鳴装置。
【請求項３】
請求項１記載の磁気共鳴装置において、前記制御手段は、（ａ）前記（１）の計測結果および再構成されたデータを基に、前記対象分子種以外のスペクトルから静磁場不均一による信号減衰時間を計算すること、（ｂ）計算された前記信号減衰時間から前記対象分子種が最大値を取る時刻を計算すること、（ｃ）前記（３）に代えて、前記（ｂ）で求められた前記最大値を取る時刻での、前記（２）で求められた前記時間領域のデータに逆変換されたデータの値を求め、前記対象分子種の信号強度を計算すること、を行うことを特徴とする磁気共鳴装置。
【請求項４】
測定対象に対して静磁場を発生する手段と、前記測定対象に照射する高周波磁場を発生する手段と、前記測定対象から生じる磁気共鳴信号を検出する手段と、前記測定対象に印加する傾斜磁場を発生させる手段と、各磁場の発生タイミングおよび強度の制御と検出された前記磁気共鳴信号の演算を行う制御手段と、エコータイムを含む前記磁気共鳴信号の検出のための計測パラメータを入力する入力手段と、演算結果を表示するためのディスプレイとを有し、対象分子種のスピン結合定数をＪとするとき、前記エコータイムが任意の自然数ｎに対してｎ／Ｊと等しくなく、かつ前記磁気共鳴信号のデータ取得時間中に少なくとも一つのｎ／Ｊが含まれるように前記計測パラメータが前記入力手段により設定され、前記制御手段は、（１）前記計測パラメータを用いてスペクトロスコピーまたはスペクトロスコピックイメージングの計測およびデータ再構成を行うこと、（２）前記（１）の計測結果および再構成されたデータから前記対象分子種のスペクトルを含む領域のデータを、フーリエ逆変換により時間領域のデータに逆変換すること、（３）設定された前記計測パラメータを用いて水抑圧無しでスペクトロスコピーまたはスペクトロスコピックイメージングの計測およびデータ再構成を行うこと、（４）水分子のスペクトルから静磁場不均一による信号減衰時間を計算すること、（５）計算された前記信号減衰時間から前記対象分子種の時刻ｎ／Ｊでの信号減衰率を計算すること、（６）前記（５）で求められた前記信号減衰率の逆数を、前記（２）で求められた前記時間領域のデータに逆変換されたデータの時刻ｎ／Ｊにおける値に乗算して前記対象分子種の信号強度を計算すること、を行うことを特徴とする磁気共鳴装置。
【請求項５】
測定対象に対して静磁場を発生する手段と、前記測定対象に照射する高周波磁場を発生する手段と、前記測定対象から生じる磁気共鳴信号を検出する手段と、前記測定対象に印加する傾斜磁場を発生させる手段と、各磁場の発生タイミングおよび強度の制御と検出された前記磁気共鳴信号の演算を行う制御手段と、エコータイムを含む前記磁気共鳴信号の検出のための計測パラメータを入力する入力手段と、演算結果を表示するためのディスプレイとを有し、対象分子種のスピン結合定数をＪとするとき、前記エコータイムＴＥが任意の自然数ｎに対して（ｎ／Ｊ）＋（１／２Ｊ）と等しく、かつ前記磁気共鳴信号のデータ取得時間中に少なくとも一つのｎ／Ｊが含まれるように前記計測パラメータが前記入力手段により設定され、前記制御手段は、（１）前記計測パラメータを用いてスペクトロスコピーまたはスペクトロスコピックイメージングの計測およびデータ再構成を行うこと、（２）前記（１）の計測結果および再構成されたデータから前記対象分子種のスペクトルを含む領域のデータを、フーリエ逆変換により時間領域のデータに逆変換すること、（３）前記時間領域のデータに逆変換されたデータの時刻ｎ／Ｊでの値を求め、前記対象分子種の信号強度を計算すること、（４）前記時間領域のデータに逆変換されたデータの時刻ＴＥでの値を求め、前記対象分子種以外の信号強度を計算すること、を行うことを特徴とする磁気共鳴装置。
【請求項６】
測定対象に対して静磁場を発生する手段と、前記測定対象に照射する高周波磁場を発生する手段と、前記測定対象から生じる磁気共鳴信号を検出する手段と、前記測定対象に印加する傾斜磁場を発生させる手段と、各磁場の発生タイミングおよび強度の制御と検出された前記磁気共鳴信号の演算を行う制御手段と、エコータイムを含む前記磁気共鳴信号の検出のための計測パラメータを入力する入力手段と、演算結果を表示するためのディスプレイとを有し、対象分子種のスピン結合定数をＪとするとき、前記エコータイムが任意の自然数ｎに対してｎ／Ｊと等しくなく、かつ前記磁気共鳴信号のデータ取得時間中に二つ以上のｎ／Ｊが含まれるように前記計測パラメータが前記入力手段により設定され、前記制御手段は、（１）前記計測パラメータを用いてスペクトロスコピーまたはスペクトロスコピックイメージングの計測およびデータ再構成を行うこと、（２）前記対象分子種のスペクトルを含む領域のデータを、フーリエ逆変換により時間領域のデータに逆変換すること、（３）前記（１）の計測結果および再構成されたデータを基に、前記対象分子種以外のスペクトルから静磁場不均一による信号減衰時間を計算すること、（４）計算された前記信号減衰時間から前記対象分子種の時刻ｎ／Ｊでの信号減衰率を計算すること、（５）前記時間領域のデータに逆変換されたデータの時刻ｎ／Ｊでの値を求め、前記信号減衰率の逆数を乗算して前記対象分子種の信号強度を計算すること、（６）前記二つ以上の時刻ｎ／Ｊのそれぞれで計算された前記信号強度から、前記対象分子種のＴ２を計算すること、を行うことを特徴とする磁気共鳴装置。
【請求項７】
測定対象に対して静磁場を発生する手段と、前記測定対象に照射する高周波磁場を発生する手段と、前記測定対象から生じる磁気共鳴信号を検出する手段と、前記測定対象に印加する傾斜磁場を発生させる手段と、各磁場の発生タイミングおよび強度の制御と検出された前記磁気共鳴信号の演算を行う制御手段と、エコータイムを含む前記磁気共鳴信号の検出のための計測パラメータを入力する入力手段と、演算結果を表示するためのディスプレイとを有し、対象分子種のスピン結合定数をＪとするとき、前記エコータイムが任意の自然数ｎに対してｎ／Ｊと等しくなく、かつ前記磁気共鳴信号のデータ取得時間中に少なくとも一つのｎ／Ｊが含まれるように前記計測パラメータが前記入力手段により設定され、前記制御手段は、（１）前記計測パラメータを用いてスペクトロスコピーまたはスペクトロスコピックイメージングの計測を行うこと、（２）前記（１）の計測データの時刻ｎ／Ｊでの値を求め、前記対象分子種の信号強度を計算すること、を行うことを特徴とする磁気共鳴装置。
【請求項８】
請求項１から請求項７の何れかに記載の磁気共鳴装置において、前記対象分子種が乳酸であり、１／Ｊが１３６ミリ秒に設定されることを特徴とする磁気共鳴装置。
【請求項９】
請求項１から請求項７の何れかに記載の磁気共鳴装置において、１／Ｊ＝１３６ミリ秒に設定されることを特徴とする磁気共鳴装置。
【請求項１０】
請求項５に記載の磁気共鳴装置において、前記（４）において前記信号強度が計算される前記対象分子種以外の分子種は脂肪であることを特徴とする磁気共鳴装置。
【請求項１１】
測定対象に対して静磁場を発生する手段と、前記測定対象に照射する高周波磁場を発生する手段と、前記測定対象から生じる磁気共鳴信号を検出する手段と、前記測定対象に印加する傾斜磁場を発生させる手段と、各磁場の発生タイミングおよび強度の制御と検出された前記磁気共鳴信号の演算を行う制御手段と、エコータイムを含む前記磁気共鳴信号の検出のための計測パラメータを入力する入力手段と、演算結果を表示するディスプレイとを有し、対象分子種のスピン結合定数をＪとするとき、前記エコータイムが任意の自然数ｎに対してｎ／Ｊと等しくなく、かつ前記磁気共鳴信号のデータ取得時間中に少なくとも一つのｎ／Ｊが含まれるように前記計測パラメータが設定されることを特徴とする磁気共鳴装置。
【請求項１２】
請求項５に記載の磁気共鳴装置において、前記入力手段は、前記計測パラメータを設定する入力表示窓を表示することを特徴とする磁気共鳴装置。
【請求項１３】
測定対象に対して静磁場を発生する手段と、前記測定対象に照射する高周波磁場を発生する手段と、前記測定対象から生じる磁気共鳴信号を検出する手段と、前記測定対象に印加する傾斜磁場を発生させる手段と、エコータイムＴＥを含む前記磁気共鳴信号の検出のための計測パラメータを入力する入力手段とを有し、乳酸のスピン結合定数をＪとするとき、任意の自然数ｎに対するｎ／Ｊと前記ＴＥとの間に脂肪の前記磁気共鳴信号が減衰する時間差を有し、時刻ｎ／Ｊでは実質的に乳酸の前記磁気共鳴信号が検出されるように、前記計測パラメータが設定されることを特徴とする磁気共鳴装置。